(57)【要約】      （修正有）【課題】清涼剤によって着用者に過度の刺激が与えられることを防止し、蒸れやべたつきなどによる不快感をより確実に抑制できる吸収性物品を提供する。【解決手段】清涼剤及び２−メチル−４−フェニル−１−ペンタノールを含む吸収性物品１である。吸収性物品に含有させる「清涼剤」とは、当該吸収性物品の着用者の皮膚又は粘膜表面の温度受容器を刺激して、着用者に爽快感を伝えることのできる物質を意味する。具体的には、「冷感剤」として知られている化合物が挙げられ、例えば、シクロヘキシル誘導体、シクロヘキサノール誘導体、カルボキサミド類（メンタンカルボキサミド）、第３級又は第２級脂肪族カルボキサミド等が挙げられる。【選択図】図１
2015012918.tif 000002
【特許請求の範囲】
【請求項１】
清涼剤及び２−メチル−４−フェニル−１−ペンタノールを含む吸収性物品。
【請求項２】
清涼剤が、メントール、ｐ−メンタン−３，８−ジオール、及びイソプレゴールから選ばれるシクロヘキサノール誘導体、乳酸メンチル、メンチルエチルアミノシュウ酸、３−（ｌ−メントキシ）プロパン−１，２−ジオール、３−（ｌ−メントキシ）−２−メチルプロパン−１，２−ジオール、コハク酸メンチル、３−（ｌ−メントキシ）エタン−１−オール、３−（ｌ−メントキシ）プロパン−１−オール、３−（ｌ−メントキシ）ブタン−１−オール、ｌ−メンチル−４−ヒドロキシペンタノエート、及びｌ−メンチル−３−ヒドロキシブチレートから選ばれるシクロヘキシル誘導体、Ｎ−エチル−ｐ−メンタン−３−カルボキサミド、Ｎ，２，３−トリメチル−２−（ｌ−メチルエチル）−ブタンアミド、及びｌ−メンチル酢酸Ｎ−エチルアミドから選ばれるカルボキサミド類、よりなる群から選ばれる１種以上である請求項１記載の吸収性物品。
【請求項３】
清涼剤が、メントール、乳酸メンチル及びＮ−エチル−ｐ−メンタン−３−カルボキサミドから選ばれる１種以上である請求項１記載の吸収性物品。
【請求項４】
清涼剤及び２−メチル−４−フェニル−１−ペンタノールが、キャリアビヒクルとの混合状態で含まれている請求項１〜３の何れか１項記載の吸収性物品。
【請求項５】
吸収性物品は表面シートと吸収体を備えており、
表面シートは使用時に直接着用者に面するトップシートを少なくとも含み、
清涼剤及び２−メチル−４−フェニル−１−ペンタノールが、トップシートに含まれている請求項１〜４の何れか１項記載の吸収性物品。
【請求項６】
吸収性物品は表面シートと吸収体を備えており、
清涼剤及び２−メチル−４−フェニル−１−ペンタノールが、吸収性物品の幅方向中央部に含まれている請求項１〜５の何れか１項記載の吸収性物品。
【請求項７】
吸収性物品当たりの２−メチル−４−フェニル−１−ペンタノール含有量が、０．１ｍｇ以上５０ｍｇ以下である請求項１〜６の何れか１項記載の吸収性物品。
【請求項８】
吸収性物品の面積１０ｃｍ2当たりの２−メチル−４−フェニル−１−ペンタノール含有量が、平均、０．０１ｇ／ｍ2以上１０ｇ／ｍ2以下である請求項１〜７の何れか１項記載の吸収性物品。
【請求項９】
吸収性物品当たりの清涼剤含有量が、０．５ｍｇ以上５０ｍｇ以下である請求項１〜８の何れか１項記載の吸収性物品。
【請求項１０】
吸収性物品の面積１０ｃｍ2当たりの清涼剤含有量が、平均、０．０５ｇ／ｍ2以上１０ｇ／ｍ2以下である請求項１〜９の何れか１項記載の吸収性物品。
【請求項１１】
清涼剤と２−メチル−４−フェニル−１−ペンタノールの含有比率（清涼剤／２−メチル−４−フェニル−１−ペンタノール）が、０．２以上５以下である請求項１〜１０の何れか１項記載の吸収性物品。
【発明の詳細な説明】
【技術分野】
【０００１】
本発明は、生理用ナプキン、パンティライナー等の吸収性物品に関する。
【背景技術】
【０００２】
生理用ナプキン、パンティライナー（おりものシート）、失禁パッド、おむつ等の吸収性物品を着用すると、蒸れ等によって皮膚にかぶれが生じることがある。そのため、従来より、スキンケア効果を付与してかぶれの発生を抑制するべく、エモリエント剤等を含有させた吸収性物品や（例えば、特許文献１）、乳酸メンチル等の冷感効果を有する清涼剤を含有し、爽快感及びドライ感を付与した吸収性物品（特許文献２）等が提案されている。
【先行技術文献】
【特許文献】
【０００３】
【特許文献１】特開２００４−２９８６４３号公報
【特許文献２】特表２００４−５２８０９０号公報
【発明の概要】
【発明が解決しようとする課題】
【０００４】
しかしながら、清涼剤を含有させた場合、冷感効果が強すぎたり、皮膚への刺激が強いと感じる着用者もおり、過度の刺激は清涼感よりもむしろ違和感を与えるという問題があった。
【０００５】
したがって、本発明は、清涼剤によって着用者に過度の刺激が与えられることを防止し、蒸れなどによる不快感をより確実に抑制できる吸収性物品を提供することに関する。
【課題を解決するための手段】
【０００６】
本発明は、上述した課題を解決するために検討した結果、清涼剤に、香料として知られている２−メチル−４−フェニル−１−ペンタノールを組み合わせて用いた場合に、清涼剤による刺激感が効果的抑制でき、且つ清涼感が損なわれずに持続することを見出した。
【０００７】
すなわち、本発明は、清涼剤及び２−メチル−４−フェニル−１−ペンタノール及びを含む吸収性物品に係るものである。
【発明の効果】
【０００８】
本発明によれば、清涼剤による清涼感が損なわれずに、清涼剤によって着用者に齎される過度の刺激を防止することができ、蒸れやべたつきなどによる不快感を効果的に抑制できる。
【図面の簡単な説明】
【０００９】
【図１】本発明吸収性物品の一実施形態としてのパンティライナーを示す斜視図。
【発明を実施するための形態】
【００１０】
（清涼剤及び２−メチル−４−フェニル−１−ペンタノール）
本発明の吸収性物品に含有させる「清涼剤」とは、当該吸収性物品の着用者の皮膚又は粘膜表面の温度受容器（ＴＲＰＭ８等の冷感受容体）を刺激して、着用者に爽快感を伝えることのできる物質を意味する。斯かる物質としては、皮膚又は粘膜表面の温度受容器の膜を脱分極することができる化合物であればよく、具体的には、「冷感剤」として知られている化合物（Ｈａｎｄｂｏｏｋ  ｏｆ  ｃｏｓｍｅｔｉｃ  ｓｃｉｅｎｃｅ  ａｎｄ  ｔｅｃｈｎｏｌｏｇｙ，３ｒｄ  ｅｄ．，Ａｎｄｒｅ’Ｏ．Ｂａｒｅｌ，Ｍａｒｃ  Ｐａｙｅ，Ｈｏｗａｒｄ  Ｉ．Ｍａｉｂａｃｈ，Ｅｄｓ．，Ｉｎｆｏｒｍａ  Ｈｅａｌｔｈｃａｒｅ（Ｐｕｂ．），Ｎｅｗ  Ｙｏｒｋ，２００９）が挙げられる。例えば、以下に示す１）シクロヘキシル誘導体（式（１））、２）シクロヘキサノール誘導体（式（２ａ）及び（２ｂ））、３）カルボキサミド類（メンタンカルボキサミド（式（３ａ））、第３級又は第２級脂肪族カルボキサミド（式（３ｂ））等を例示できるが、これらに限定されるものではない。
【００１１】
１）シクロヘキシル誘導体
【００１２】
【化１】
2015012918.tif 000003
【００１３】
〔式中、Ｒは、基−ＣＨ2ＣＨ（Ｒ1）（ＯＨ）ＣＨ2ＯＲ2（ここで、Ｒ1は水素原子又はメチル基、Ｒ2は水素原子、炭素数１〜６の直鎖又は分岐アルキル基又は２−アルコキシエチル基を示す。）、基−（ＣＨ2）n−ＯＨ（ここで、ｎは１〜１０の整数を示す）、又は基−ＣＯ−Ｒ3（ここで、Ｒ3は水素原子、炭素数１〜６の直鎖又は分岐アルキル若しくはアルケニル基、炭素数１〜６の直鎖又は分岐ヒドロキシアルキル基を示す）を示し、Ｒ’は水素原子、水酸基、炭素数１〜６の直鎖又は分岐アルキル基、又は炭素数１〜６のアルコキシ基を示す。〕
【００１４】
２）シクロヘキサノール誘導体
【００１５】
【化２】
2015012918.tif 000004
【００１６】
〔式中、Ｒ4は水素原子、水酸基又は炭素数１〜６のアルコキシ基を示し、Ｒ5及びＲ6は独立して水素原子又は炭素数１〜６の直鎖又は分岐アルキル基を示し、Ｒ’は水素原子、水酸基、炭素数１〜６の直鎖又は分岐アルキル基又は炭素数１〜６のアルコキシ基を示す。〕
【００１７】
３）カルボキサミド類
【００１８】
【化３】
2015012918.tif 000005
【００１９】
〔式中、Ｒ7は水素原子又は炭素数１〜６の直鎖又は分岐アルキル基を示し、Ｒ8は炭素数１〜６の直鎖又は分岐アルキル基を示し、Ｒ9は水素原子又は炭素数１〜６の直鎖又は分岐アルキル基を示し、Ｒ10及びＲ11は独立して炭素数１〜６の直鎖又は分岐アルキル基を示す。〕
【００２０】
本発明において好ましく使用することができる冷感剤を具体的に例示すると、以下のものが挙げられる。
１）シクロヘキシル誘導体：
乳酸メンチル、メンチルエチルアミノシュウ酸、３−（ｌ−メントキシ）プロパン−１，２−ジオール、３−（ｌ−メントキシ）−２−メチルプロパン−１，２−ジオール、コハク酸メンチル、３−（ｌ−メントキシ）エタン−１−オール、３−（ｌ−メントキシ）プロパン−１−オール、３−（ｌ−メントキシ）ブタン−１−オール、ｌ−メンチル−４−ヒドロキシペンタノエート、ｌ−メンチル−３−ヒドロキシブチレート等。
２）シクロヘキサノール誘導体：
メントール、ｐ−メンタン−３，８−ジオール、イソプレゴール等。
３）カルボキサミド類：
Ｎ−エチル−ｐ−メンタン−３−カルボキサミド（Ｎ−エチル−２−イソプロピル−５−メチルシクロヘキサン−１−カルボキサミド）、Ｎ，２，３−トリメチル−２−（ｌ−メチルエチル）−ブタンアミド、ｌ−メンチル酢酸Ｎ−エチルアミド等。
このうち、清涼感及び２−メチル−４−フェニル−１−ペンタノールによる刺激抑制効果の点から、メントール、乳酸メンチル及びＮ−エチル−ｐ−メンタン−３−カルボキサミドが好ましい。
【００２１】
また、本発明において用いられる清涼剤は、上記の化合物を１つ以上含有する植物抽出物等であっても良い。清涼剤は、単独で、又は組み合わせて使用することができる。
【００２２】
本発明において、「２−メチル−４−フェニル−１−ペンタノール」は、下記式で表され、残香性の高い香料してスキンケア、柔軟剤などに使用されている物質であり、「Ｐａｍｐｌｅｆｌｅｕｒ」として市販されている。本出願人は、２−メチル−４−フェニル−１−ペンタノールが、一過性受容器電位（ＴＲＰ）イオンチャネルのスーパーファミリーに属する非選択性陽イオンチャネルであるＴＲＰＡ１の活性を抑制し、メントール等の刺激感原因物質による皮膚や粘膜に対する刺激感の緩和に有効であることを見出し、既に特許出願している（ＰＣＴ／ＪＰ２０１３／０５０３４７）。
【００２３】
【化４】
2015012918.tif 000006
【００２４】
２−メチル−４−フェニル−１−ペンタノールには、不斉炭素原子が存在し、立体異性体が存在するが、本発明においては、各異性体の混合物や単離されたものの何れであってよい。
【００２５】
２−メチル−４−フェニル−１−ペンタノールは、公知の方法（例えば、Ｊ．Ｏｒｇ．Ｃｈｅｍ．２００５，７０，１２８１−１２９０）に準じて化学合成することができる。また、市販の「ｐａｍｐｌｅｆｌｅｕｒ」（ＩＦＦ社）を使用することもできる。
【００２６】
本発明の吸収性物品中に含有させる、清涼剤の含有量は、当該物品が接触する皮膚及び／又は粘膜表面の領域の温度受容器を刺激し、それによって所望の爽快感を送給するのに十分な量であれば良く、吸収性物品当たり、０．５ｍｇ以上、好ましくは１ｍｇ以上、より好ましくは２ｍｇ以上であり、且つ５０ｍｇ以下、好ましくは４０ｍｇ以下、より好ましくは３０ｍｇ以下である。また、０．５〜５０ｍｇ、好ましくは１〜４０ｍｇ、より好ましくは２〜３０ｍｇである。
また、当該物品の少なくとも一部において、面積１０ｃｍ2当たり平均０．０５ｇ／ｍ2以上、好ましくは０．１ｇ／ｍ2以上、より好ましくは０．１５ｇ／ｍ2以上であり、且つ１０ｇ／ｍ2以下、好ましくは５ｇ／ｍ2以下、より好ましくは３ｇ／ｍ2以下である。また、０．０５〜１０ｇ／ｍ2、好ましくは０．１〜５ｇ／ｍ2、より好ましくは０．１５〜３ｇ／ｍ2である。
【００２７】
本発明の吸収性物品中に含有させる、２−メチル−４−フェニル−１−ペンタノールの含有量は、清涼剤による刺激を緩和するのに十分な量であれば良く、吸収性物品当たり、０．１ｍｇ以上、好ましくは０．５ｍｇ以上、より好ましくは１ｍｇ以上であり、且つ５０ｍｇ以下、好ましくは３０ｍｇ以下、より好ましくは２０ｍｇ以下である。また、０．１〜５０ｍｇ、好ましくは０．５〜３０ｍｇ、より好ましくは１〜２０ｍｇである。
また、当該物品の少なくとも一部において、面積１０ｃｍ2当たり平均０．０１ｇ／ｍ2以上、好ましくは０．０５ｇ／ｍ2以上、より好ましくは０．１ｇ／ｍ2以上であり、且つ１０ｇ／ｍ2以下、好ましくは５ｇ／ｍ2以下、より好ましくは３ｇ／ｍ2以下である。また、０．０１〜１０ｇ／ｍ2、好ましくは０．０５〜５ｇ／ｍ2、より好ましくは０．１〜３ｇ／ｍ2である。
【００２８】
さらに、本発明の吸収性物品中に含有させる、清涼剤（Ａ）と２−メチル−４−フェニル−１−ペンタノール（Ｂ）の含有比率（（Ａ）／（Ｂ）、即ち、清涼剤／２−メチル−４−フェニル−１−ペンタノール）は、０．２以上、好ましくは０．２５以上、より好ましくは０．３以上であり、且つ５以下、好ましくは４以下、より好ましくは３以下である。また、０．２〜５、好ましくは０．２５〜４、より好ましくは０．３〜３である。
【００２９】
清涼剤及び２−メチル−４−フェニル−１−ペンタノールは、そのまま吸収性物品へ含有させること、或いは適宜エタノール、イソプロピルアルコール等の溶媒に溶解して含有させることも可能であるが、物品の着用者の皮膚への移動が直接的又は間接的に促進されるような状態で、物品中に含有せしめるのが好ましい。すなわち、清涼剤及び／又は２−メチル−４−フェニル−１−ペンタノールを、適当なキャリアビヒクルを用いて、溶液、懸濁液、分散液、エマルション、ワックス等の形態とし、物品に含有させるのが好ましい。ここで、代表的なキャリアビヒクルとしては、多価アルコール、炭化水素油、脂肪酸エステル、長鎖アルコール、及びシリコーン油のような油及び脂質、デンプン又はタルク等のような超微粒子状固体が挙げられる。
【００３０】
ここで、多価アルコールとしては、グリセリン、プロピレングリコール、ブチレングリコール、ジエチレングリコール、ポリエチレングリコール、ソルビトール等が挙げられる。
炭化水素油としては、スクワラン、スクワレン、ミンク油、ホホバ油、オリーブ油、ひまし油、カルナバロウ、ミツロウ、キャンデリラロウ、ラノリン、セレシン、ワセリン、流動パラフィン、マイクロクリスタリンワックス、石油ワックス、ポリエチレンワックス等が挙げられる。
脂肪酸エステルとしては、ラノリン脂肪酸イソプロピル、ミリスチン酸イソプロピル、ミリスチン酸ミリスチン、ミリスチン酸オクチルドデシル、ジカプリン酸ネオペンチルグリコール、イソステアリン酸コレステリル、グリセリン誘導体（モノグリセリド、ジグリセリド、トリグリセリド）等が挙げられる。
長鎖アルコールとしては、ラウリルアルコール、セチルアルコール、ステアリルアルコール、ベヘニルアルコール、ラノリンアルコール、水素添加ラノリンアルコール、イソステアリルアルコール、コレステロール等が挙げられる。
シリコーン油としては、直鎖又は環状のシリコーン、変性シリコーン等が挙げられる。
【００３１】
このうち、刺激緩和効果及び清涼効果の持続の点から、グリセリンを用いるのが好ましい。また、キャリアビヒクル（例えば、グリセリン）の使用量は、吸収性物品当たり、０．１ｍｇ以上、好ましくは０．５ｍｇ以上、より好ましくは１ｍｇ以上であり、且つ５０ｍｇ以下、好ましくは３０ｍｇ以下、より好ましくは２０ｍｇ以下である。また、０．１〜５０ｍｇ、好ましくは０．５〜３０ｍｇ、より好ましくは１〜２０ｍｇである。
【００３２】
また、清涼剤及び／又は２−メチル−４−フェニル−１−ペンタノールは、体液から出る水分との接触によって溶解するような、可溶性マイクロカプセルの形態としてもよい。
【００３３】
清涼剤及び２−メチル−４−フェニル−１−ペンタノールは、吸収性物品中に両者が含有されていればよく、当該物品への組み込み方法は特に限定されない。すなわち、両者を混合した後に物品中に含有させることでもよく、別個に調製した各溶液を別々に含有させることでもよい。別々に組み込む場合は、両者は物品の同一の場所（構成要素）に組み込むことでも、異なる場所に組み込むことでも良いが、同じ場所に組み込むことが好ましい。
【００３４】
清涼剤及び２−メチル−４−フェニル−１−ペンタノールの吸収性物品への組み込みは、物品の通常着用時に着用者の皮膚に直接的若しくは間接的に剤を送給できるように、物品のいずれかの構成要素、すなわち、表面シート（トップシート、セカンドシート）、バックシート、吸収体等の１つ以上の構成要素の表面或いは内部に組み込まれる。
具体的には、清涼剤及び２−メチル−４−フェニル−１−ペンタノールの各溶液を、適当なキャリアビヒクル（例えばグリセリン）と混合した後、吸収性物品のいずれかの構成要素に、噴霧、浸漬、転写、ソーキングすること等によって、含有させることができる。
【００３５】
また、適用位置は、吸収性物品の幅方向両サイドより、中央部（いわゆる中心帯）、すなわち体液が排出される領域に、清涼剤及び２−メチル−４−フェニル−１−ペンタノールが多く存在するように含有するのが好ましい。特に、表面シート表面の中心帯、後述するパンティライナーの例では、トップシートの着用者に面する表面の中心帯に多く存在するように含有するのが好ましい。
【００３６】
（吸収性物品）
本発明において、「吸収性物品」とは、流体及び／又は滲出物、とりわけ体液／身体滲出物を、受け取ること及び／又は吸収すること及び／又は収容すること及び／又は保持することのできる、あらゆる物品を意味し、好適には生理用ナプキン、パンティライナー、失禁パッド、おむつ等が挙げられる。また、その形状及び構成は特に限定されないが、少なくとも、使用時に着用者面側に位置する表面シート、使用時に直接衣類面側に位置するバックシート、その間に介挿された吸収体を具備するものが、典型例として挙げられる。ここで、表面シートは、使用時に直接着用者に面するトップシートの他に、トップシートと吸収体の間に位置するセカンドシートを含むことができる。図１に、吸収性物品として、パンティライナーの例を示す。すなわち、当該吸収性物品１は、使用時に直接着用者に面するトップシート２、使用時に直接衣類に面するバックシート３、トップシート２と吸収体４ｂとの間にあるセカンドシート４ａ、及びセカンドシート４ａとバックシート３の間に介挿された吸収体４ｂを具備する。
以下に、吸収体、表面シート、バックシートについて説明するが、夫々の構成要素は、この種の物品に従来使用されているものと同様のものを用いることができ、これらに限定されるものではない。
【００３７】
１）吸収体
吸収体は、高分子吸収体若しくは親水性繊維等の繊維材料又はこれらの組み合わせから構成される。
親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。
【００３８】
高分子吸収体としては、吸収性、吸湿性のあるアクリル酸ナトリウム共重合体等の粒状ポリマーが挙げられる。
親水性繊維と高分子吸収体とを被覆材で覆うことにより、吸収体を構成しても良い。
【００３９】
吸収体は、親水性繊維又は粉体をエアレイド法によってシート状に成形したエアレイドシートでもよい。エアレイドシートの例としては、繊維と粒子状ポリマーとをバインダー等でシート物に成形したものが挙げられる。なお、粒子状ポリマーは、エアレイドシートにおいて、層状に分散されていてもよいし、厚み方向に偏っていてもよい。
また、吸収体は、例えば、銀・銅・亜鉛・シリカ・活性炭・アルミノケイ酸塩化合物・ゼオライト等の粒状消臭材、又は粒状抗菌材を添加してもよい。
【００４０】
吸収体には、着用中の型崩れやヨレの防止、又は厚みを調整するため、エンボスが形成されていてもよい。
【００４１】
２）表面シート
表面シートは、単一の層又は多数の層で構成される。好適には、表面シートの着用者に面する表面を提供する第一層（トップシートとも呼ばれる）、及びその第一層と吸収体との間にある第二層（セカンドシートとも呼ばれる）を具備するものが挙げられる。
【００４２】
表面シートは、織布、不織布、有孔プラスチックシート（開孔フィルム）等、液体を透過する構造のシート状の材料であれば、特に限定されない。織布や不織布の素材としては、天然繊維、化学繊維のいずれも使用できる。
【００４３】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維などが挙げられる。
【００４４】
熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。
【００４５】
不織布のウェブフォーミング方法としては、乾式（カード法、スパンボンド法、メルトブローン法、エアレイド法等）及び湿式のいずれか一つの方法を用いることができる。乾式法と湿式法のうち、複数の方法を組み合わせてもよい。また、サーマルボンディング、ニードルパンチ、ケミカルボンディング等の方法が挙げられる。不織布を作成する方法は、上述の方法に限定されない。
【００４６】
３）バックシート
バックシートは、ポリエチレン、ポリプロピレン等を主体としたフィルム、通気性の樹脂フィルム、スパンボンド、又はスパンレース等の不織布に通気性の樹脂フィルムが接合されたシートなどを用いることができる。バックシートは、着用時の違和感を生じさせない程度の柔軟性を有する材料とすることが好ましい。
上述した実施形態に関し、本発明は更に以下の吸収性物品を開示する。
【００４７】
＜１＞清涼剤及び２−メチル−４−フェニル−１−ペンタノールを含む吸収性物品。
【００４８】
＜２＞吸収性物品は表面シートと吸収体を備えており、
清涼剤が、メントール、ｐ−メンタン−３，８−ジオール、及びイソプレゴールから選ばれるシクロヘキサノール誘導体、乳酸メンチル、メンチルエチルアミノシュウ酸、３−（ｌ−メントキシ）プロパン−１，２−ジオール、３−（ｌ−メントキシ）−２−メチルプロパン−１，２−ジオール、コハク酸メンチル、３−（ｌ−メントキシ）エタン−１−オール、３−（ｌ−メントキシ）プロパン−１−オール、３−（ｌ−メントキシ）ブタン−１−オール、ｌ−メンチル−４−ヒドロキシペンタノエート、及びｌ−メンチル−３−ヒドロキシブチレートから選ばれるシクロヘキシル誘導体、Ｎ−エチル−ｐ−メンタン−３−カルボキサミド、Ｎ，２，３−トリメチル−２−（ｌ−メチルエチル）−ブタンアミド、及びｌ−メンチル酢酸Ｎ−エチルアミドから選ばれるカルボキサミド類、よりなる群から選ばれる１種以上である＜１＞記載の吸収性物品。
＜３＞清涼剤が、メントール、乳酸メンチル及びＮ−エチル−ｐ−メンタン−３−カルボキサミドから選ばれる１種以上である＜１＞記載の吸収性物品。
＜４＞清涼剤が下記式（１）で表される＜１＞記載の吸収性物品。
【００４９】
【化５】
2015012918.tif 000007
【００５０】
〔式中、Ｒは、基−ＣＨ2ＣＨ（Ｒ1）（ＯＨ）ＣＨ2ＯＲ2（ここで、Ｒ1は水素原子又はメチル基、Ｒ2は水素原子、炭素数１〜６の直鎖又は分岐アルキル基又は２−アルコキシエチル基を示す。）、基−（ＣＨ2）n−ＯＨ（ここで、ｎは１〜１０の整数を示す）、又は基−ＣＯ−Ｒ3（ここで、Ｒ3は水素原子、炭素数１〜６の直鎖又は分岐アルキル若しくはアルケニル基、炭素数１〜６の直鎖又は分岐ヒドロキシアルキル基を示す）を示し、Ｒ’は水素原子、水酸基、炭素数１〜６の直鎖又は分岐アルキル基、又は炭素数１〜６のアルコキシ基を示す。〕
＜５＞清涼剤が下記式（２ａ）又は（２ｂ）で表される＜１＞記載の吸収性物品。
【００５１】
【化６】
2015012918.tif 000008
【００５２】
〔式中、Ｒ4は水素原子、水酸基又は炭素数１〜６のアルコキシ基を示し、Ｒ5及びＲ6は独立して水素原子又は炭素数１〜６の直鎖又は分岐アルキル基を示し、Ｒ’は水素原子、水酸基、炭素数１〜６の直鎖又は分岐アルキル基又は炭素数１〜６のアルコキシ基を示す。〕
＜６＞清涼剤が下記式（３ａ）又は（３ｂ）で表される＜１＞記載の吸収性物品。
【００５３】
【化７】
2015012918.tif 000009
【００５４】
〔式中、Ｒ7は水素原子又は炭素数１〜６の直鎖又は分岐アルキル基を示し、Ｒ8は炭素数１〜６の直鎖又は分岐アルキル基を示し、Ｒ9は水素原子又は炭素数１〜６の直鎖又は分岐アルキル基を示し、Ｒ10及びＲ11は独立して炭素数１〜６の直鎖又は分岐アルキル基を示す。〕
【００５５】
＜７＞清涼剤及び／又は２−メチル−４−フェニル−１−ペンタノールが、キャリアビヒクルとの混合状態で含まれている＜１＞〜＜６＞の何れか１に記載の吸収性物品。
＜８＞キャリアビヒクルが、多価アルコール、炭化水素油、脂肪酸エステル、長鎖アルコール、及びシリコーン油のような油及び脂質、デンプン又はタルク等のような超微粒子状固体から選ばれる一又は複数である＜７＞に記載の吸収性物品。
＜９＞キャリアビヒクルが、グリセリン、プロピレングリコール、ブチレングリコール、ジエチレングリコール、ポリエチレングリコール及びソルビトールから選ばれる多価アルコールである＜７＞又は＜８＞記載の吸収性物品。
＜１０＞キャリアビヒクルが、スクワラン、スクワレン、ミンク油、ホホバ油、オリーブ油、ひまし油、カルナバロウ、ミツロウ、キャンデリラロウ、ラノリン、セレシン、ワセリン、流動パラフィン、マイクロクリスタリンワックス、石油ワックス及びポリエチレンワックスから選ばれる炭化水素油である＜７＞又は＜８＞記載の吸収性物品。
＜１１＞キャリアビヒクルが、ラノリン脂肪酸イソプロピル、ミリスチン酸イソプロピル、ミリスチン酸ミリスチン、ミリスチン酸オクチルドデシル、ジカプリン酸ネオペンチルグリコール、イソステアリン酸コレステリル及びグリセリン誘導体（モノグリセリド、ジグリセリド、トリグリセリド）から選ばれる脂肪酸エステルである＜７＞又は＜８＞記載の吸収性物品。
＜１２＞キャリアビヒクルが、ラウリルアルコール、セチルアルコール、ステアリルアルコール、ベヘニルアルコール、ラノリンアルコール、水素添加ラノリンアルコール、イソステアリルアルコール及びコレステロールから選ばれる長鎖アルコールである＜７＞又は＜８＞記載の吸収性物品。
＜１３＞キャリアビヒクルが、直鎖又は環状のシリコーン及び変性シリコーンから選ばれるシリコーン油である＜７＞又は＜８＞記載の吸収性物品。
＜１４＞吸収性物品当たりのキャリアビヒクル含有量が、０．１ｍｇ以上、好ましくは０．５ｍｇ以上、より好ましくは１ｍｇ以上である＜７＞〜＜１３＞の何れか１に記載の吸収性物品。
＜１５＞吸収性物品当たりのキャリアビヒクル含有量が、５０ｍｇ以下、好ましくは３０ｍｇ以下、より好ましくは２０ｍｇ以下である＜７＞〜＜１４＞の何れか１に記載の吸収性物品。
【００５６】
＜１６＞吸収性物品は表面シートと吸収体を備えており、
表面シートは使用時に直接着用者に面するトップシートを少なくとも含み、
清涼剤及び２−メチル−４−フェニル−１−ペンタノールが、トップシートに含まれている＜１＞〜＜１５＞の何れか１に記載の吸収性物品。
＜１７＞吸収性物品は表面シートと吸収体を備えており、
清涼剤及び２−メチル−４−フェニル−１−ペンタノールが、吸収性物品の幅方向中央部に含まれている＜１＞〜＜１６＞の何れか１に記載の吸収性物品。
＜１８＞吸収性物品当たりの２−メチル−４−フェニル−１−ペンタノール含有量が、０．１ｍｇ以上、好ましくは０．５ｍｇ以上、より好ましくは１ｍｇ以上である＜１＞〜＜１７＞の何れか１に記載の吸収性物品。
＜１９＞吸収性物品当たりの２−メチル−４−フェニル−１−ペンタノール含有量が、５０ｍｇ以下、好ましくは３０ｍｇ以下、より好ましくは２０ｍｇ以下である＜１＞〜＜１８＞の何れか１に記載の吸収性物品。
【００５７】
＜２０＞吸収性物品の面積１０ｃｍ2当たりの２−メチル−４−フェニル−１−ペンタノール含有量が、平均０．０１ｇ／ｍ2以上、好ましくは０．０５ｇ／ｍ2以上、より好ましくは０．１ｇ／ｍ2以上である＜１＞〜＜１９＞の何れか１に記載の吸収性物品。
＜２１＞吸収性物品の面積１０ｃｍ2当たりの２−メチル−４−フェニル−１−ペンタノール含有量が、平均１０ｇ／ｍ2以下、好ましくは５ｇ／ｍ2以下、より好ましくは３ｇ／ｍ2以下である＜１＞〜＜２０＞の何れか１に記載の吸収性物品。
＜２２＞吸収性物品当たりの清涼剤含有量が、０．５ｍｇ以上、好ましくは１ｍｇ以上、より好ましくは２ｍｇ以上である＜１＞〜＜２１＞の何れか１に記載の吸収性物品。
＜２３＞吸収性物品当たりの清涼剤含有量が、５０ｍｇ以下、好ましくは４０ｍｇ以下、より好ましくは３０ｍｇ以下である＜１＞〜＜２２＞の何れか１に記載の吸収性物品。
【００５８】
＜２４＞吸収性物品の面積１０ｃｍ2当たりの清涼剤含有量が、平均０．０５ｇ／ｍ2以上、好ましくは０．１ｇ／ｍ2以上、より好ましくは０．１５ｇ／ｍ2以上である＜１＞〜＜２３＞の何れか１に記載の吸収性物品。
＜２５＞吸収性物品の面積１０ｃｍ2当たりの清涼剤含有量が、平均１０ｇ／ｍ2以下、好ましくは５ｇ／ｍ2以下、より好ましくは３ｇ／ｍ2以下である＜１＞〜＜２４＞の何れか１に記載の吸収性物品。
＜２６＞清涼剤と２−メチル−４−フェニル−１−ペンタノールの含有比率（清涼剤／２−メチル−４−フェニル−１−ペンタノール）が、０．２以上、好ましくは０．２５以上、より好ましくは０．３以上である＜１＞〜＜２５＞の何れか１に記載の吸収性物品。
＜２７＞清涼剤と２−メチル−４−フェニル−１−ペンタノールの含有比率（清涼剤／２−メチル−４−フェニル−１−ペンタノール）が、５以下、好ましくは４以下、より好ましくは３以下である＜１＞〜＜２６＞の何れか１に記載の吸収性物品。
【００５９】
＜２８＞清涼剤及び／又は２−メチル−４−フェニル−１−ペンタノールが、水溶性マイクロカプセルに封入されている＜１＞〜＜２７＞の何れか１に記載の吸収性物品。
＜２９＞吸収性物品は表面シートと吸収体を備えており、清涼剤及び２−メチル−４−フェニル−１−ペンタノールが、夫々吸収性物品中の異なる場所に組み込まれている＜１＞〜＜２８＞の何れか１に記載の吸収性物品。
＜３０＞吸収性物品は表面シートと吸収体を備えており、清涼剤及び２−メチル−４−フェニル−１−ペンタノールが、吸収性物品中の同一の場所に組み込まれている＜１＞〜＜２９＞の何れか１に記載の吸収性物品。
＜３１＞吸収性物品が生理用ナプキン、パンティライナー、失禁パッド及びおむつのいずれかである＜１＞〜＜３０＞の何れか１に記載の吸収性物品。
以下、実施例により本発明を更に詳細に説明するが、本発明の範囲は斯かる実施例に制限されるものではない。
【実施例】
【００６０】
以下の実施例及び比較例で製造したパンティライナーは、長さ１４０ｍｍ、最大幅５９ ｍｍ、最小幅５０ｍｍの方形の四隅を略円形に形成したものであり、吸収紙は、長さ１００ｍｍ、幅３０ｍｍである。当該パンティライナーは、花王（株）きれいスタイル無香料（パンティライナー）に使用されている下記の材料を用いて作製した。実施例及び比較例において共通して使用した構成材料は以下の通りである。
【００６１】
〔表面シート〕
エアスルー方式にて製造した２５ｇ／ｍ2の不織布をトップシートとして使用した。
エアスルー方式にて製造した４０ｇ／ｍ2の不織布をセカンドシートとして使用した。
〔吸収体〕
３５ｇ／ｍ2の台紙を吸水紙のみからなる吸収体として使用した。
〔バックシート〕
３４ｇ／ｍ2の透湿フィルムを使用した。
〔トップシートとセカンドシート、吸水紙、バックシートの固定材〕
ホットメルト剤を塗布して使用した。
〔ずれ止め材〕
ホットメルト剤を塗布して使用した。
【００６２】
１）清涼剤（Ａ）溶液の調製
乳酸メンチル溶液は、乳酸メンチル（和光純薬工業製）をエタノール溶液（和光純薬工業製）で溶解し１０質量％濃度とした。また、メントール溶液は、ｌ−メントール（和光純薬工業製）をエタノール溶液（和光純薬工業製）で溶解し１０質量％濃度とした。またＮ−エチル−ｐ−メンタン−３−カルボキサミド溶液はＮ−エチル−ｐ−メンタン−３−カルボキサミド（ＲＥＮＥＳＳＥＮＺ社製）をエタノール溶液（和光純薬工業製）で溶解し１０質量％濃度とした。
【００６３】
２）２−メチル−４−フェニル−１−ペンタノール（Ｂ）溶液の調製
２−メチル−４−フェニル−１−ペンタノール溶液は、２−メチル−４−フェニル−１−ペンタノール（ＩＦＦ社製）をエタノール溶液（和光純薬工業製）で溶解し１０質量％濃度とした。
【００６４】
３）１，８−シネオール（Ｃ）*溶液の調製
１，８−シネオール溶液は、１，８−シネオール（和光純薬工業製）をエタノール溶液（和光純薬工業製）で溶解し１０質量％濃度とした。
＊１，８−シネオールはＴＲＰＡ１活性抑制剤として知られ、メントールの刺激を抑制できる物質として報告されている（特開２０１２−６２３０４号公報）。
【００６５】
４）グリセリン溶液の調製
グリセリン溶液は、グリセリン（和光純薬工業製）をエタノール溶液（和光純薬工業製）で溶解し１０質量％濃度とした。
【００６６】
〔実施例１〕
乳酸メンチル溶液と２−メチル−４−フェニル−１−ペンタノール溶液を１対１の比率で混合した後、長さ１００ｍｍ、幅６５ｍｍの吸水紙の全面にスプレー塗布した。エタノールを蒸発させる目的で乾燥させ（恒温室：２３℃／５０％に設定、２４時間放置）、乾燥後の重量を測定した（塗布量：乳酸メンチル３３ｍｇ、２−メチル−４−フェニル−１−ペンタノール３３ｍｇ）。この吸水紙にホットメルト剤を塗布した後、幅方向に向けて３つ折りに曲げた状態（長さ１００ｍｍ、幅３０ｍｍ）に固定した。ホットメルト剤でこの吸水紙をバックシートに固定後、吸水紙の上にセカンドシート、表面シートを載せ、それぞれ固定した。最後にバックシートにズレ止め用ホットメルト剤を塗布し剥離紙を載せることで、サンプルを作製した。
【００６７】
〔実施例２〕
乳酸メンチル溶液と２−メチル−４−フェニル−１−ペンタノール溶液とグリセリン溶液を１対１対０．３の比率（含有比率（Ａ）／（Ｂ）が１．０）で混合した後、長さ１００ｍｍ、幅６５ｍｍの吸水紙の全面にスプレー塗布した。エタノールを蒸発させる目的で乾燥させ（恒温室：２３℃／５０％に設定、２４時間放置）、乾燥後の重量を測定した（塗布量：乳酸メンチル３３ｍｇ、２−メチル−４−フェニル−１−ペンタノール３３ｍｇ、グリセリン１０ｍｇ）。この吸水紙にホットメルト剤を塗布した後、幅方向に向けて３つ折りに曲げた状態（長さ１００ｍｍ、幅３０ｍｍ）に固定した。ホットメルト剤でこの吸水紙をバックシートに固定後、吸水紙の上にセカンドシート、表面シートを載せ、それぞれ固定した。最後にバックシートにズレ止め用ホットメルト剤を塗布し剥離紙を載せることで、サンプルを作製した。
【００６８】
〔実施例３〜６、９、１３〜１５、２８〕、〔比較例１、４〜７〕
表１−１及び表１−２に示す配合比で、実施例１と同様にサンプルを作製した。
【００６９】
〔実施例１０、１８、２９〕
表１−１及び表１−２に示す配合比で、実施例２と同様にサンプルを作製した。
【００７０】
〔実施例７〕
吸水紙を幅方向に３分割にカット（幅３０ｍｍ×１、１７．５ｍｍ×２）した１枚（長さ１００ｍｍ、幅３０ｍｍ）に、乳酸メンチルの２−メチル−４−フェニル−１−ペンタノール溶液（１対１混合（含有比率（Ａ）／（Ｂ）が１．０）、エタノールで希釈せず）を、幅方向の中心線上に３３ｍｍ間隔で２箇所塗布した（塗布量：乳酸メンチル１０ｍｇ、２−メチル−４−フェニル−１−ペンタノール１０ｍｇ）。恒温室で乾燥させた（２３℃／５０％に設定、２４時間放置）後、ホットメルト剤で残り２枚の吸水紙を２重（中央部３重）に貼りあわせた。次いで、ホットメルト剤でこの吸水紙をバックシートに固定後、吸水紙の上にセカンドシート、表面シートを載せ、それぞれ固定した。最後にバックシートにズレ止め用ホットメルト剤を塗布し剥離紙を載せることで、サンプルを作製した。
【００７１】
〔実施例８〕
吸水紙を幅方向に３分割にカット（幅３０ｍｍ×１、１７．５ｍｍ×２）した２枚（長さ１００ｍｍ、幅１７．５ｍｍ）に、乳酸メンチル溶液と２−メチル−４−フェニル−１−ペンタノール溶液を１対１の比率（含有比率（Ａ）／（Ｂ）が１．０）で混合したものを、全面塗布した（塗布量：乳酸メンチル１３ｍｇ、２−メチル−４−フェニル−１−ペンタノール１３ｍｇ）。恒温室で乾燥させた（２３℃／５０％に設定、２４時間放置）後、ホットメルト剤で吸水紙を２重（中央部３重）に貼りあわせた。次いで、ホットメルト剤でこの吸水紙をバックシートに固定後、吸水紙の上にセカンドシート、表面シートを載せ、それぞれ固定した。最後にバックシートにズレ止め用ホットメルト剤を塗布し剥離紙を載せることで、サンプルを作製した。
【００７２】
〔実施例１１、１２〕
表１−１に示す配合比で、実施例８と同様にサンプルを作製した。
【００７３】
〔実施例１６〕
乳酸メンチル溶液と２−メチル−４−フェニル−１−ペンタノール溶液を１対１の比率で混合した後、セカンドシート（長さ１４０ｍｍ、最大幅５９ｍｍ、最小幅５０ｍｍ）の全面にスプレー塗布した。エタノールを蒸発させる目的で乾燥させ（恒温室：２３℃／５０％に設定、２４時間放置）、乾燥後の重量を測定した（塗布量：乳酸メンチル１３ｍｇ、２−メチル−４−フェニル−１−ペンタノール１３ｍｇ）。このセカンドシートにホットメルト剤を塗布した後、幅方向に向けて３つ折りした吸水紙に（長さ１００ｍｍ 、幅３０ ｍｍ）に固定した。その後、ホットメルト剤でバックシート、表面シートをそれぞれ固定した。最後にバックシートにズレ止め用ホットメルト剤を塗布し剥離紙を載せることで、サンプルを作製した。
【００７４】
〔実施例１７、１９、２１〜２４〕、〔比較例２〕
表１−１及び表１−２に示す配合比で、実施例１６と同様にサンプルを作製した。
【００７５】
〔実施例１８〕
乳酸メンチル溶液と２−メチル−４−フェニル−１−ペンタノール溶液とグリセリン溶液を所定の比率で混合した後、セカンドシート（長さ１４０ｍｍ、最大幅５９ｍｍ、最小幅５０ｍｍ）の全面にスプレー塗布した。エタノールを蒸発させる目的で乾燥させ（恒温室：２３℃／５０％に設定、２４時間放置）、乾燥後の重量を測定した（塗布量：乳酸メンチル１３ｍｇ、２−メチル−４−フェニル−１−ペンタノール１３ｍｇ、グリセリン１０ｍｇ）。このセカンドシートにホットメルト剤を塗布した後、幅方向に向けて３つ折りした吸水紙に（長さ１００ｍｍ、幅３０ｍｍ）に固定した。その後、ホットメルト剤でバックシート、表面シートをそれぞれ固定した。最後にバックシートにズレ止め用ホットメルト剤を塗布し剥離紙を載せることで、サンプルを作製した。
【００７６】
〔実施例２０〕
セカンドシートを幅方向に３分割にカット（最大幅５９ｍｍに相当する部分の幅１９．７ｍｍ×３）した両端２枚のシートに、乳酸メンチル溶液と２−メチル−４−フェニル−１−ペンタノール溶液を１対１の比率（含有比率（Ａ）／（Ｂ）が１．０）で混合したものを、全面塗布した（塗布量：乳酸メンチル１３ｍｇ、２−メチル−４−フェニル−１−ペンタノール１３ｍｇ）。恒温室で乾燥させた（２３℃／５０％に設定、２４時間放置）後、ホットメルト剤で幅方向に向けて３つ折りした吸水紙（長さ１００ｍｍ、幅３０ｍｍ）に、塗布した２枚のシートを両側に、未塗布のシートを中央に固定した。その後、ホットメルト剤でバックシート、表面シートをそれぞれ固定した。最後にバックシートにズレ止め用ホットメルト剤を塗布し剥離紙を載せることで、サンプルを作製した。
【００７７】
〔実施例２５〕
乳酸メンチル溶液と２−メチル−４−フェニル−１−ペンタノール溶液を１対２の比率（含有比率（Ａ）／（Ｂ）が０．５）で混合した後、表面シート（長さ１４０ｍｍ、最大幅５９ｍｍ、最小幅５０ｍｍ）の全面にスプレー塗布した。エタノールを蒸発させる目的で乾燥させ（恒温室：２３℃／５０％に設定、２４時間放置）、乾燥後の重量を測定した（塗布量：乳酸メンチル１３ｍｇ、２−メチル−４−フェニル−１−ペンタノール２６ｍｇ）。バックシートにホットメルト剤を塗布した後、幅方向に向けて３つ折りした吸水紙に（長さ１００ｍｍ、幅３０ｍｍ）に固定した。その上に、セカンドシートと前述の表面シートをそれぞれ固定した。最後にバックシートにズレ止め用ホットメルト剤を塗布し剥離紙を載せることで、サンプルを作製した。
【００７８】
〔実施例２６、２７、３０〜３２〕、〔比較例３〕
表１−２に示す配合比で、実施例２５と同様にサンプルを作製した。
【００７９】
〔サンプルの評価〕
以下の様にして装着テストを行い、官能評価を行った。
１）試験条件
テスト環境：温度２７℃、湿度６０％
衣服：下着、ポロシャツ、スラックス
ショーツにサンプル製品を装着し、デスクワーク
装着者  女性１〜３名
装着１時間後、又は３時間後及び４時間後の清涼感、痛みとムレ感を評価した。
【００８０】
２）官能評価の基準
２−１）清涼感の官能値は、以下の８段階で表した。
５  ：  清涼感が強すぎる
４  ：  清涼感がやや強い
３  ：  ちょうど良い清涼感
２  ：  清涼感を感じるが、やや弱い
１  ：  清涼感を感じるが、弱い
０  ：  感じない（リファレンスもしくは外部環境と同じ）
−１  ：  ムレ感をやや感じる
−２  ：  ムレ感を感じる
【００８１】
２−２）痛みの官能値は、以下の６段階で表した。
５  ：  激しく痛い
４  ：  強く強い
３  ：  痛い
２  ：  少し痛い
１  ：  やや痛い
０  ：  感じない（リファレンスもしくは外部環境と同じ）
【００８２】
２−３）ムレ感の官能評価は、以下の３段階で表した
○：  ムレを感じない
△：  ややムレを感じる
×：  ムレを感じる
【００８３】
結果を表１−１、表１−２及び表２に示す。
装着者は、実施例１〜３２において、痛みなくムレ感低減効果が得られた。さらに、キャリアビヒクル（グリセリン）を添加した実施例２，１１，１８、２９では添加していない系と比較し、長時間効果が持続した。一方、清涼剤（Ａ）と２−メチル−４−フェニル−１−ペンタノール（Ｂ）を併用しない比較例１〜７では、ムレ感が低減しなかった。
また、２−メチル−４−フェニル−１−ペンタノール（Ｂ）の代わりに、メントールに対して刺激緩和効果を有することが報告されている１，８−シネオール（Ｃ）を用いた場合には、ムレ感が低減しなかった。
【００８４】
【表１−１】
2015012918.tif 000010
【００８５】
【表１−２】
2015012918.tif 000011
【００８６】
【表２】
2015012918.tif 000012
【符号の説明】
【００８７】
１  吸収性物品
２  トップシート
３  バックシート
４ａ  セカンドシート
４ｂ  吸収体
４ｃ  延出部
５  周縁接合部
【図１】
2015012918.tif 000013